(57)【要約】【課題】  録画予約の設定をディスク記録媒体に記録してディスク記録媒体ごとに録画番組の管理を行うことの出来るディスク記録装置において、従来ユーザが行わなければならなかったディスク記録媒体の空き容量チェックなど、煩雑な処理を解消することにある。【解決手段】  予定時刻に放送の受信と該放送のコンテンツデータの記録とを自動的に行う予約記録手段と、設定条件に従って所定のタイミングでディスク記録媒体に記録されているコンテンツデータを自動的に削除する予約消去手段と、ディスク記録媒体に記録された前記予約記録手段と前記予約消去手段の動作設定のデータを読み込んでこの内容に基づいて前記予約記録手段および前記予約消去手段を動作させる予約制御手段とを備えている。【選択図】        図２
2006018958.tif 000002
【特許請求の範囲】
【請求項１】
データの書換えが可能で装置への挿抜が可能なディスク記録媒体に放送のコンテンツデータを記録するディスク記録装置であって、
予定時刻に放送の受信と該放送のコンテンツデータの記録とを自動的に行う予約記録手段と、
設定条件に従って所定のタイミングでディスク記録媒体に記録されているコンテンツデータを自動的に削除する予約消去手段と、
前記予約記録手段と前記予約消去手段の動作設定の内容を外部から入力可能な操作入力手段と、
前記予約記録手段と前記予約消去手段の動作設定の内容を前記ディスク記録媒体に書き込む予約設定手段と、
ディスク記録媒体に記録された前記予約記録手段と前記予約消去手段の動作設定のデータを読み込んでこの内容に基づいて前記予約記録手段および前記予約消去手段を動作させる予約制御手段とを備え、
前記予約消去手段は、削除するコンテンツデータが有る場合に、前記予約記録手段により予約記録が開始される直前のタイミングに、コンテンツデータの消去を行うように構成され、
前記予約消去手段の設定条件として、ディスク記録媒体の残り容量が足りなくなったとき、再生済みのコンテンツデータがあるとき、並びに、毎週、毎日、月曜日から金曜日、或いは、月曜日から土曜日の何れかの設定条件が選択可能であることを特徴とするディスク記録装置。
【請求項２】
データの書換えが可能で装置への挿抜が可能なディスク記録媒体に放送のコンテンツデータを記録するディスク記録装置であって、
予定時刻に放送の受信と該放送のコンテンツデータの記録とを自動的に行う予約記録手段と、
設定条件に従って所定のタイミングでディスク記録媒体に記録されているコンテンツデータを自動的に削除する予約消去手段と、
ディスク記録媒体に記録された前記予約記録手段と前記予約消去手段の動作設定のデータを読み込んでこの内容に基づいて前記予約記録手段および前記予約消去手段を動作させる予約制御手段と、
を備えたことを特徴とするディスク記録装置。
【請求項３】
前記予約記録手段と前記予約消去手段の動作設定の内容を外部から入力可能な操作入力手段と、
前記予約記録手段と前記予約消去手段の動作設定の内容を前記ディスク記録媒体に書き込む予約設定手段と、
を備えていることを特徴とする請求項２記載のディスク記録装置。
【請求項４】
前記予約消去手段は、削除するコンテンツデータが有る場合に、前記予約記録手段により予約記録が開始される直前のタイミングに、コンテンツデータの消去を行うように構成されていることを特徴とする請求項２又は３に記載のディスク記録装置。
【請求項５】
前記予約消去手段の設定条件として、ディスク記録媒体の残り容量が足りなくなったときという設定条件が選択可能であることを特徴とする請求項２〜４の何れかに記載のディスク記録装置。
【請求項６】
前記予約消去手段の設定条件として、再生済みのコンテンツデータがあるときという設定条件が選択可能であることを特徴とする請求項２〜５の何れかに記載のディスク記録装置。
【請求項７】
前記予約消去手段の設定条件として、毎週、毎日、月曜日から金曜日、月曜日から土曜日、の何れかの設定条件が選択可能であることを特徴とする請求項２〜６の何れかに記載のディスク記録装置。
【発明の詳細な説明】
【技術分野】
【０００１】
この発明は、例えばＤＶＤ±ＲＷ（デジタル多用途ディスク・リライタブル）や青紫レーザ用の光ディスクなど、データの書換えと装置への挿抜が可能なディスク記録媒体に放送コンテンツデータを記録するディスク記録装置に関する。
【背景技術】
【０００２】
近年、ＤＶＤビデオレコーダなど、装置への挿抜が可能なディスク記録媒体にテレビ放送などの録画を行う装置が広く販売されている。従来、このような録画装置において、録画予約の設定データをディスク記録媒体に書き込んでおき、このディスク記録媒体を録画装置に挿入することで、そこに書き込まれた設定データに従って予約録画が行われるようにした記録装置が提案されている（例えば特許文献１）。
【０００３】
このような録画予約の方式により、例えば、連続ドラマなど１つの番組のテレビ放送を１枚のディスク記録媒体に連続的に録画していき、録画番組をディスク記録媒体ごとに管理することが出来るという効果が得られる。
【特許文献１】特開平１１−２６００４３号公報
【発明の開示】
【発明が解決しようとする課題】
【０００４】
映像データのデータ量は非常に大きいため、テレビ放送をデジタル録画する場合、１枚のディスク記録媒体に録画可能な番組の回数は限られてくる。したがって、ディスク記録媒体に録画予約の設定を行って録画番組をディスク記録媒体ごとに管理する場合、従来の装置では、ユーザは、次の予約録画に足りうる空き容量がディスク記録媒体に確保されているか逐一チェックし、空き容量が足りない場合には例えば視聴済みの放送回を探してそのデータを消去するなど、空き容量を確保する処理をしてやらなければならなかった。
【０００５】
このような処理はとても煩雑であり、ディスク記録媒体ごとに録画番組の管理を行うというせっかくの機能が有効に活用されない原因になっていると考えられた。
【０００６】
この発明の目的は、録画予約の設定をディスク記録媒体に記録してディスク記録媒体ごとに録画番組の管理を行うことの出来るディスク記録装置において、ディスク記録媒体の空き容量不足の解消を補助する機能を付加し、空き容量チェックなど煩雑な処理をユーザが行わなくてもディスク記録媒体ごとに録画番組の管理を行うことのできるディスク記録装置を提供することにある。
【課題を解決するための手段】
【０００７】
本発明は、上記目的を達成するため、データの書換えが可能で装置への挿抜が可能なディスク記録媒体に放送のコンテンツデータを記録するディスク記録装置であって、予定時刻に放送の受信と該放送のコンテンツデータの記録とを自動的に行う予約記録手段と、設定条件に従って所定のタイミングでディスク記録媒体に記録されているコンテンツデータを自動的に削除する予約消去手段と、ディスク記録媒体に記録された前記予約記録手段と前記予約消去手段の動作設定のデータを読み込んでこの内容に基づいて前記予約記録手段および前記予約消去手段を動作させる予約制御手段とを備えている構成とした。
【０００８】
このような手段によれば、ディスク記録媒体に予約消去の動作設定を書き込んでおくことで、その設定条件に従って以前に録画したコンテンツデータの消去が自動的に行われるので、空き容量不足を気にすることなくディスク記録媒体ごとに録画番組の管理を行うことが出来る。
【０００９】
望ましくは、前記予約記録手段と前記予約消去手段の動作設定の内容を外部から入力可能な操作入力手段と、前記予約記録手段と前記予約消去手段の動作設定の内容を前記ディスク記録媒体に書き込む予約設定手段とを備えていると良い。
【００１０】
これによりディスク記録装置で予約録画や予約消去の設定を行うことが出来る。
【００１１】
また望ましくは、前記予約消去手段は、削除するコンテンツデータが有る場合に、前記予約記録手段により予約記録が開始される直前のタイミングに、コンテンツデータの消去を行うように構成すると良い。
【００１２】
このような構成により、ユーザはコンテンツデータを消去する日時などを逐一考える必要がなく、空き容量が必要となる直前にコンテンツデータの消去が行われるので、予約消去の設定時の煩わしさが低減される。また、不意にコンテンツデータの消去を止めたいと思ったときでも、予約録画の動作直前まで次のコンテンツデータの消去が行われないので、予約消去を中止する猶予期間がぎりぎりまで確保されて都合が良い。
【００１３】
具体的には、前記予約消去手段の設定条件として、ディスク記録媒体の残り容量が足りなくなったとき、再生済みのコンテンツデータがあるとき、毎週、毎日、月曜日から金曜日、月曜日から土曜日、のような設定条件を選択可能に構成すると良い。
【００１４】
このような構成により、ユーザの所望な条件に合わせてコンテンツデータの予約消去を行うことが出来る。
【発明の効果】
【００１５】
以上説明したように、本発明に従うと、ディスク記録媒体ごとに番組の予約録画や予約消去を行うことが出来るので、ユーザは一度設定を行った後は、録画番組の視聴とディスクの挿抜をするだけで、例えば、連続ドラマなど一連の放送番組を１枚のディスクに予約録画して視聴していくことが出来る。その際、ユーザは、録画番組が予約消去されてしまう前に視聴することだけ気を付ければ良く、予約録画時にディスクの空き容量が足りなくなると云った心配をする必要がないという効果がある。
【発明を実施するための最良の形態】
【００１６】
以下、本発明の実施の形態を図面に基づいて説明する。
【００１７】
図１は、本発明の実施の形態のディスク記録装置の全体構成を示すブロック図である。
【００１８】
この実施の形態のディスク記録装置１は、テレビ放送を受信して例えば書換え可能で装置に挿抜が可能な光ディスク（例えばＤＶＤ±ＲＷなど）に録画を行うビデオレコーダである。ディスク記録装置１には、テレビ放送信号を選択的に受信するＴＶチューナ１１と、ＴＶチューナ１１から入力された映像信号や音声信号をデジタル圧縮して記録可能なデジタルデータに変換する記録処理部１２と、光ディスクの記録面にレーザ光を照射してデータの記録又は再生を行う光ピックアップ１３と、光ピックアップ１３の動作に連動させて記録データ又は再生データを転送する記録再生部１４と、デジタル圧縮されたストリームデータを伸張して映像データと音声データに変換し出力する再生処理部１５と、ディスク記録媒体を出し入れするディスクローディング部１６と、複数の操作キーやリモコン２０からの信号を受信する受光部１７ａを有しユーザからの操作指令を入力する操作入力部１７と、システム全体の制御を行うシステム制御部１８等が設けられている。
【００１９】
システム制御部１８には、制御プログラムを格納した不揮発性メモリ、それを実行するＣＰＵ（Central Processing Unit）、ＣＰＵに作業空間を提供するＲＡＭ（Random Access Memory）、時刻をカウントするリアルタイムクロックなどのタイマ１８ｄ、予約情報を記憶し電源が遮断されてもデータが消えない作業用の不揮発性メモリからなる予約記憶部１８ｅなどが設けられている。
【００２０】
この実施の形態のディスク記録装置１は、システム制御部１８の不揮発性メモリに格納された制御プログラムに基づいて、録画予約の情報（予約情報）をディスク記録媒体に書き込むことが可能になっており、さらに、装置に挿入されたディスク記録媒体に予約情報が書き込まれている場合に、この予約情報に基づいて録画予約の動作が行われるようになっている。
【００２１】
図２には、予約録画および予約消去の設定の際にディスプレーに表示される設定メニューの画像図を示す。
【００２２】
ディスク記録媒体に予約情報を書き込む場合には、装置にディスク記録媒体を挿入した状態で、操作入力部１７から操作入力を行ってシステムメニューの「ディスク予約録画設定」の項目を選択する。すると、図２に示すような予約録画設定の画面が表示されるので、その各設定項目をカーソルキー等を用いて設定していくことで、予約設定が行われ、その予約情報がディスク記録媒体に書き込まれるようになっている。これら予約設定の処理を行うシステム制御部１８およびその制御プログラムにより予約設定手段が構成されている。
【００２３】
ディスク予約録画設定の項目には、図２に示すように、録画予約の曜日、録画予約の開示時刻と終了時刻、録画予約のチャンネル、画質設定（「XP（高解像度）」、「ノーマル」、「Low（低解像度）」）自動消去のオンオフ、消去タイミング、のそれぞれがある。
【００２４】
録画予約の曜日の設定項目には、「月」〜「日」の何れかと、月曜から金曜の毎日を表す「月−金」、月曜から土曜の毎日を表す「月−土」、「毎日」、とが選択可能になっている。
【００２５】
自動消去のオンオフの設定では、自動消去を行う「オン」と、自動消去を行わない「オフ」の選択が可能になっている。
【００２６】
消去タイミングの設定項目は、予約消去の条件が指定されるもので、その設定項目には、「毎週」、月曜から金曜の毎日を表す「月−金」、月曜から土曜の毎日を表す「月−土」、「毎日」、次の録画予約分の空き容量がない場合を表す「ＤＩＳＣ一杯」、再生済みのコンテンツデータがある場合を表す「再生済み」、の選択が可能になっている。
【００２７】
これらのうち、「毎週」、「月−金」、「月−土」、「毎日」の４つの選択内容は、録画予約の曜日の設定に応じて選択可能になったり、選択不可になったりするものである。すなわち、録画予約の曜日が「月」〜「日」の何れかが選択されている場合には「毎週」のみが選択可能に、録画予約の曜日が「月−金」の場合には「月−金」のみが選択可能に、録画予約の曜日が「月−土」の場合には「月−土」のみが選択可能に、録画予約の曜日が「毎日」の場合には「毎日」のみが選択可能にされる。
【００２８】
これら消去タイミングの項目に設定可能な「毎週」、「月−金」、「月−土」、「毎日」、「ＤＩＳＣ一杯」、「再生済み」の各内容は、次のごとくである。
【００２９】
すなわち、「毎週」、「月−金」、「月−土」、「毎日」の設定内容は、次の予約録画が開始される直前に、一番古いコンテンツデータを１個消去するように設定するものである。「ＤＩＳＣ一杯」は、次の予約録画が開始される直前に、次の録画予約分の空き容量がない場合に、一番古いコンテンツデータから空き容量が確保される分のコンテンツデータを消去するように設定するものである。「再生済み」は、次の予約録画が開始される直前に、再生済みのコンテンツデータがあった場合に、そのコンテンツデータを消去するように設定するものである。
【００３０】
以下、上記のように設定された予約情報がディスク記録媒体からディスク記録装置１にセットされるディスク挿入処理と、予約録画と予約消去とを行う予約処理について、図３と図４のフローチャートを参照しながら説明する。
【００３１】
図３は、ディスク記録媒体が装置１に挿入された際にシステム制御部１８により実行されるディスク挿入処理の手順を示すフローチャートである。
【００３２】
このディスク挿入処理は、ローディング機構の開閉動作によりディスクローディング部１６からディスク記録媒体の挿入を知らせる信号がシステム制御部１８に入力されることにより開始される。
【００３３】
このディスク挿入処理が開始されると、先ず、ステップＳ１において、ディスク記録媒体の所定のセクタにアクセスして、ディスク記録媒体に予約情報が書き込まれているかをチェックし、それが書き込まれていれば予約情報を読み込んでその内容をチェックする処理を行う。
【００３４】
その結果、予約情報が書き込まれておりその中に予約設定があった場合にはステップＳ２に移行して、該ステップで、この予約情報をシステム制御部１８の予約記憶部１８ｅに格納する。予約録画や予約消去の各動作は、この予約記憶部１８ｅに格納された予約情報に基づいて実行される。
【００３５】
予約情報の格納を行ったら、ステップＳ３に移行して、ディスク記録媒体の挿入が行われたときに一般的に行われるＤＩＳＣ再生処理に移行する。すなわち、ステップＳ３においては、ディスク記録媒体に格納されているコンテンツデータを一覧表示するＤＩＳＣメニュー表示を行う。そして、その後のステップにて、ユーザからの指示操作を待機して、指示操作に従った制御処理を行う。これらステップＳ３以降の処理は、従来と同様の処理を適用できるので説明は省略する。
【００３６】
一方、ステップＳ１の予約情報チェックの結果、予約情報の書き込みが無い、或いは、予約情報の書き込みはあっても予約設定が行われていない場合には、ステップＳ１からステップＳ３にジャンプして、そのままＤＩＳＣの再生処理に移行する。
【００３７】
図４には、システム制御部により実行される予約処理のフローチャートを示す。
【００３８】
この予約処理は、予約記憶部１８ｅに格納された予約録画の曜日および開始時刻の情報により指定される日時に基づいて開始されるものである。具体的には、この指定日時よりも所定時間（例えば３分）早い日時がタイマ１８ｄにセットされ、その日時になったときにタイマ１８ｄからＣＰＵに割込み信号が出力されることにより開始される。
【００３９】
この予約処理が開始されると、先ず、ステップＳ１１において予約記憶部１８ｅに格納されている予約情報を読み出す。次に、ステップＳ１２において、予約情報の消去タイミングのチェックを行って、消去タイミングが「毎週」、「月−金」、「月−土」、「毎日」であった場合には、ステップＳ１３に移行する。
【００４０】
また、ステップＳ１２において消去タイミングが「ＤＩＳＣ一杯」の場合には、ディスク記録媒体の空き容量と今回の予約録画に必要な容量とを算出して、空き容量の方が小さければステップＳ１３に移行するが、空き容量の方が大きければステップＳ１５にジャンプする。
【００４１】
また、ステップＳ１２において消去タイミングが「再生済み」である場合には、ディスク記録媒体に書き込まれているコンテンツデータの管理データを読み込んで、再生済みのコンテンツデータの有無を確認し、再生済みのコンテンツデータがあればステップＳ１３に移行するが、再生済みのコンテンツデータがなければステップＳ１５にジャンプする。
【００４２】
次いでステップＳ１３では、コンテンツデータの管理データをチェックして、消去タイミングの設定に対応して消去するコンテンツデータの有無を判別し、消去するコンテンツデータがあればステップＳ１４に移行するが、なければステップＳ１５にジャンプする。
【００４３】
具体的には、ステップＳ１３において、消去タイミングが「毎週」、「月−金」、「月−土」、「毎日」であれば、これらの設定曜日に含まれる曜日で、開始と終了の時刻およびチャンネルが予約情報の設定と同一のコンテンツデータ、すなわち、この予約情報により以前に録画されたコンテンツデータを検索し、そのコンテンツデータが有ればその中で一番古いコンテンツデータを、次に消去するコンテンツデータとして特定する。
【００４４】
また、消去タイミングが「ＤＩＳＣ一杯」の場合には、記録日時の古い順に、今回の予約録画に必要な空き容量が確保される分のコンテンツデータを、次に消去するコンテンツデータとして特定する。
【００４５】
また、消去タイミングが「再生済み」である場合には、再生済みのコンテンツデータを検索して、有ればそれら全てを次に消去するコンテンツデータとして特定する。
【００４６】
上記のステップＳ１３の結果、消去するコンテンツデータがあってステップＳ１４に移行した場合には、当該ステップＳ１４において、それらのコンテンツデータを消去する処理を行う。
【００４７】
続くステップＳ１５からは予約録画を行う処理である。すなわち、先ず、予約情報に設定された放送チャンネルに切り替え（ステップＳ１５）、録画開始タイミングを待ち（ステップＳ１６）、録画処理を開始させる（ステップＳ１７）。
【００４８】
次いで、録画終了タイミングを待って（ステップＳ１８）、録画を終了させ（ステップＳ１９）、スタンバイモードに移行する（ステップＳ２０）。
【００４９】
上述の図３と図４の処理フローを含む制御プログラム、並びに、それらを実行するシステム制御部１８のＣＰＵ、タイマ１８ｄおよび予約記憶部１８ｅにより、予約記録手段、予約消去手段、および予約制御手段が構成されている。
【００５０】
以上のように、この実施の形態のディスク記録装置１によれば、ディスク記録媒体に録画予約の設定データを書き込んでおいて、ディスク記録媒体ごとに録画予約の番組管理を行うことが出来るという効果が得られる。さらに、ディスク記録媒体に予約消去の設定を書き込んでおくことで、その設定条件に従って以前に録画したコンテンツデータの消去が自動的に行われるので、空き容量不足を気にすることなく上記のような録画番組の管理を行うことが出来るという効果が得られる。
【００５１】
また、予約消去が行われるのは予約録画の直前であるので、ユーザはコンテンツデータを消去する日時などを逐一考える必要がなく、予約消去の設定時の煩わしさが低減される。また、不意にコンテンツデータの消去を止めたいと思ったときでも、予約録画の動作直前まで次のコンテンツデータの消去が行われないので、予約消去を中止する猶予期間がぎりぎりまで確保されて都合が良い。
【００５２】
また、予約消去を行う条件を、ディスク記録媒体の残り容量が足りなくなったとき、再生済みのコンテンツデータがあるとき、毎週、毎日、月曜日から金曜日、月曜日から土曜日など、いくつかの中から選択できるので、ユーザの所望な条件に合わせてコンテンツデータの予約消去を行うことが出来る。
【００５３】
なお、本発明は、上記実施の形態に限られるものではなく、様々な変更が可能である。例えば、ディスク記録媒体は、ＤＶＤのほか、青紫レーザ用の光ディスクや、磁気光ディスク、装置に挿抜可能なタイプのハードディスクなど、種々のものが含まれる。また、予約消去を行う条件は、実施の形態で例示したもの以外にも、種々の条件を適用しても良いし、また、複数の条件を合わせて選択できるようにしても良い。
【００５４】
また、録画予約の直前に予約消去が行われる構成を示したが、この時間をユーザが指定できるようにしたり、或いは、深夜など録画予約の時間とは無関係なタイミングに設定されるようにしても良い。
【００５５】
その他、ディスク記録装置の内部構成や予約録画の設定画面の内容、並びに、各処理の手順など、実施の形態で具体的に示した細部等は発明の趣旨を逸脱しない範囲で適宜変更可能である。
【図面の簡単な説明】
【００５６】
【図１】本発明の実施の形態のディスク記録装置の全体構成を示すブロック図である。
【図２】予約設定の際にディスプレーに表示される設定メニューの画像図である。
【図３】ディスク記録媒体を装置に挿入した際にシステム制御部により実行されるディスク挿入処理の動作の流れを示すフローチャートである。
【図４】システム制御部により実行される予約処理の動作の流れを示すフローチャートである。
【符号の説明】
【００５７】
１    ディスク記録装置
１１  ＴＶチューナ
１２  記録処理部
１３  光ピックアップ
１４  記録再生部
１５  再生処理部
１６  ディスクローディング部
１７  操作入力部
１８  システム制御部
２０  リモコン
【図１】
2006018958.tif 000003
【図２】
2006018958.tif 000004
【図３】
2006018958.tif 000005
【図４】
2006018958.tif 000006